(57)【特許請求の範囲】
【請求項１】
先端部にユニット収納部を有し後端部に出力コネクタを有する筒状体からなるマイクロホン筐体としての手持ち用のグリップ部を含み、上記ユニット収納部内にマウント手段を介してマイクロホンユニットが収納されており、上記マイクロホンユニットを覆うように上記ユニット収納部に音波を通す開口部を有するヘッドケースが被せられているマイクロホンにおいて、
上記ユニット収納部側から上記ヘッドケースに向けて送風する圧電ファンを有し、上記圧電ファンは、上記グリップ部の内周面に嵌合する支持体を介して上記ユニット収納部の背面側に配置されていることを特徴とするマイクロホン。
【請求項２】
上記ヘッドケースに超音波振動を与える圧電素子をさらに備えていることを特徴とする請求項１に記載のマイクロホン。
【請求項３】
上記出力コネクタ側に空気導入部が設けられているとともに、上記支持体および上記マウント手段にはそれぞれ上記グリップ部の軸線方向に沿って連通する通気部が設けられていることを特徴とする請求項１または２に記載のマイクロホン。
【請求項４】
上記グリップ部内には、上記空気導入部から上記圧電ファンに外気を導く空気ガイドチューブが配管されていることを特徴とする請求項３に記載のマイクロホン。
【請求項５】
上記圧電ファンを駆動する第１発振器と上記圧電素子を駆動する第２発振器とを備えており、その各々にファントム電源から給電されることを特徴とする請求項２に記載のマイクロホン。
【発明の詳細な説明】
【技術分野】
【０００１】
本発明はマイクロホンに関し、さらに詳しく言えば、マイクロホンの防水技術に関するものである。
【背景技術】
【０００２】
マイクロホンは、雨天時にも屋外で使用されることがある。その場合、雨滴がマイクロホン内に浸入すると、振動板の振動を阻害したり、音声信号出力回路等に電気的不具合を発生させることがある。
【０００３】
通常、マイクロホンユニットは、多孔板やガードネット等の音波を通す開口部を有するヘッドケースにて覆われており、その開口部から雨滴等が入り込む。そこで、特許文献１では、ヘッドケースに雨滴（水滴）の浸入を阻止する防水膜を設けることが提案されている。
【０００４】
しかしながら、防水膜のスチフネスがマイクロホンユニットの機械インピーダンスより大きいと、防水膜のインピーダンスが支配的になり、マイクロホンの性能を劣化させることになる。
【先行技術文献】
【特許文献】
【０００５】
【特許文献１】特開平９−２０５６９３号公報
【発明の概要】
【発明が解決しようとする課題】
【０００６】
したがって、本発明の課題は、マイクロホンの性能に悪影響を与えることなく、雨水等の水滴がマイクロホン内に入り込まないようにしたマイクロホンを提供することにある。
【課題を解決するための手段】
【０００７】
上記課題を解決するため、本発明は、先端部にユニット収納部を有し後端部に出力コネクタを有する筒状体からなるマイクロホン筐体としての手持ち用のグリップ部を含み、上記ユニット収納部内にマウント手段を介してマイクロホンユニットが収納されており、上記マイクロホンユニットを覆うように上記ユニット収納部に音波を通す開口部を有するヘッドケースが被せられているマイクロホンにおいて、
上記ユニット収納部側から上記ヘッドケースに向けて送風する圧電ファンを有し、上記圧電ファンは、上記グリップ部の内周面に嵌合する支持体を介して上記ユニット収納部の背面側に配置されていることを特徴としている。
【０００８】
本発明の好ましい態様によると、上記ヘッドケースに超音波振動を与える圧電素子をさらに備える。
【００１０】
上記圧電ファンが上記グリップ部内に配置される場合、好ましい態様として、上記出力コネクタ側に空気導入部が設けられるとともに、上記支持体および上記マウント手段にはそれぞれ上記グリップ部の軸線方向に沿って連通する通気部が設けられる。
【００１１】
また、上記グリップ部内には、上記空気導入部から上記圧電ファンに外気を導く空気ガイドチューブが配管されることが好ましい。
【００１２】
また、本発明には、上記圧電ファンを駆動する第１発振器と上記圧電素子を駆動する第２発振器とを備えており、その各々にファントム電源から給電される態様も含まれる。
【発明の効果】
【００１４】
本発明によれば、マイクロホン筐体内に送風手段（好ましくは圧電ファン）を有し、ユニット収納部側からヘッドケースに向けて風が送られることにより、ヘッドケースの開口部から雨水等の水滴が入り込むのを確実に防止することができる。
【図面の簡単な説明】
【００１５】
【図１】本発明によるマイクロホンの実施形態を一部省略して示す模式的な断面図。
【図２】図１のＡ−Ａ線拡大断面図。
【図３】上記マイクロホンにおいて、マイクロホンユニットのマウント手段をヘッドケース側から見た正面図。
【図４】上記マイクロホンが備える出力コネクタの構成を示す拡大断面図。
【図５】圧電ファンおよび圧電素子の駆動回路を示す模式図。
【発明を実施するための形態】
【００１６】
次に、図１ないし図４を参照して、本発明の実施形態について説明するが、本発明はこれに限定されるものではない。
【００１７】
図１に示すように、この実施形態に係るマイクロホン１は、手持ち用のマイクロホン（ボーカル用のマイクロホン）であることから、マイクロホン筐体として円筒状に形成されたグリップ部１０を備えている。
【００１８】
グリップ部１０の先端部（一端部）には、ユニット収納部１１が連設されており、後端部（他端部）には、出力コネクタ１２が設けられている。なお、グリップ部１０内には、出力コネクタ１２との間で電気部品収納室１０ａを形成する仕切板１７が設けられており、その電気部品収納室１０ａ内には、音声信号出力回路等を有する回路基板１５が配置されている。
【００１９】
ユニット収納部１１は、グリップ部１０よりも大径のカップ状に形成されており、その内部にマイクロホンユニット２０がマウント手段としてのゴム弾性体からなる環状のダンパー２１を介して収納されている。この実施形態において、マイクロホンユニット２０には動電型（ダイナミック型）が採用されているが、静電型（コンデンサ型）であってもよい。
【００２０】
ユニット収納部１１には、マイクロホンユニット２０を覆うように、音波を通す開口部を有するヘッドケース１３が被せられている。ヘッドケース１３は、パンチングメタル等の多孔板もしくはガードメッシュと呼ばれる網体からなり、この実施形態では、連結リング１４を介してユニット収納部１１に取り付けられている。
【００２１】
図４を併せて参照して、出力コネクタ１２には、電気絶縁材からなる円盤状の基台１２０に、接地用の１番ピン１２１、ホット側の２番ピン１２２およびコールド側の３番ピン１２３を貫設してなるキャノンコネクタと呼ばれる３ピン型の出力コネクタが用いられてよい。なお、２番ピン１２２と３番ピン１２３は、図４の側面視において、重なった位置に存在している。
【００２２】
本発明では、雨天の屋外での使用時に、ヘッドケース１３の開口部から雨水が浸入するのを阻止するため、マイクロホン筐体としてのグリップ部１０内に、ユニット収納部１１側からヘッドケース１３に向けて送風する送風手段３０を備えている。
【００２３】
送風手段３０は、グリップ部１０内に入る大きさであれば例えば軸流ファンでもよいが、圧電ファンであれば小型でしかも騒音が殆ど発生しないことから、この実施形態においては、送風手段３０として圧電ファン３１を採用している。圧電ファン３１は、圧電バイモルフを用いた揺動式ファンが好適である。
【００２４】
圧電ファン３１は、支持体１６を介してユニット収納部１１の背面側（上記仕切板１７よりもユニット収納部１１寄り側の位置）に配置されている。
【００２５】
図２を参照して、この実施形態において、支持体１６は、グリップ部１０の内周面に嵌合する円盤体からなり、圧電ファン３１は、その中央部分に支持されているとともに、その周囲には、グリップ部１０の軸線方向に沿って連通する複数個（この例では４個）の通気孔（通気部）１６ａが穿設されている。
【００２６】
また、図３に示すように、マイクロホンユニット２０を弾性的に支持するダンパー２１にも、複数個（この例では８個）の通気孔（通気部）２１ａが穿設されている。
【００２７】
この実施形態によると、出力コネクタ１２の基台１２０に空気導入孔１２４（図４参照）が穿設されているとともに、仕切板１７にも貫通孔１７ａが穿設されており、空気導入孔１２４と貫通孔１７ａとが電気部品収納室１０ａ内に配管される空気ガイドチューブ１８を介して連通している。空気ガイドチューブ１８は、テフロン（登録商標）等の撥水性を有する材質であることが好ましい。
【００２８】
なお、空気導入孔１２４は、出力コネクタ１２の基台１２０のピン貫設に差し支えのない箇所に設けられるが、場合によっては、上記基台１２０ではなくグリップ部１０に直接穿設されてもよい。
【００２９】
また、この実施形態では、ヘッドケース１３の開口部から雨水が浸入するのを阻止するより好ましい態様として、ヘッドケース１３に超音波振動を与える圧電素子３２をさらに備えている。
【００３０】
図１に示すように、圧電素子３２は、連結リング１４によりユニット収納部１１の開口端縁とヘッドケース１３の周縁部との間に保持されるが、使用する圧電素子３２の数は任意に選択されてよい。また、ヘッドケース１３に撥水塗装を施すことがより好ましい。
【００３１】
図５を参照して、このマイクロホン１は、圧電ファン３１を駆動する第１発振器４１と、圧電素子３２を駆動する第２発振器４２の２つの発振器を備える。これら２つの発振器４１，４２は回路基板１５に搭載され、ファントム電源４０を電源として動作する。
【００３２】
ファントム電源４０は、このマイクロホン１の使用時に接続される図示しないミキサーやオーディオインターフェイス等に設けられているファントム電源を使用することができる。ファントム電源４０は、ホット側の２番ピン１２２とコールド側の３番ピン１２３を通して加えられる。
【００３３】
図５の駆動回路図によれば、ファントム電源４０と発振器４１，４２の間に、それぞれ開閉スイッチＳＷ１，ＳＷ２が接続されているが、スイッチＳＷ１は圧電ファン３１と第１発振器４１との間、スイッチＳＷ２は圧電素子３２と第２発振器４２との間に接続されてもよい。
【００３４】
例えば、雨天の屋外での使用時に、スイッチＳＷ１をオン（閉）にすると、圧電ファン３１が動作し、空気導入孔１２４から外気が吸い込まれ、空気ガイドチューブ１８→支持体１６の通気孔１６ａ→ユニット収納部１１内→ダンパー２１の通気孔２１ａを経てヘッドケース１３の開口部に至る気流が生じるため、ヘッドケース１３の開口部から雨滴が浸入するのを阻止することができる。
【００３５】
また、併せてスイッチＳＷ２をオン（閉）にすれば、圧電素子３２よりヘッドケース１３に超音波振動が加えられ、これによりヘッドケース１３に付着している雨滴が浮揚するため、より確実に雨滴の浸入を阻止することができる。
【００３６】
マイクロホンユニット２０は、超音波には応答しないので音声出力に雑音が混じることはない。また、スチフネスが大きい防水膜を使用しないため、マイクロホンの性能が劣化することがない。
【００３７】
スイッチＳＷ１，ＳＷ２をともにオンにして圧電ファン３１と圧電素子３２とを併用することが好ましいが、降りかかる雨水量等によっては、圧電ファン３１もしくは圧電素子３２のいずれか一方のみの使用で済ませることもできる。
【符号の説明】
【００３８】
１  マイクロホン
１０  グリップ部
１０ａ  電気部品収納室
１１  ユニット収納部
１２  出力コネクタ
１２０  基台
１２１〜１２３  ピン
１２４  空気導入孔
１３  ヘッドケース
１４  連結リング
１５  回路基板
１６  支持体
１６ａ  通気孔
１７  仕切板
１８  空気ガイドチューブ
２０  マイクロホンユニット
２１  ダンパー
２１ａ  通気孔
３０  送風手段
３１  圧電ファン
３２  圧電素子
４１，４２  発振器
４０  ファントム電源
ＳＷ１，ＳＷ２  開閉スイッチ
【図１】
0006695706.tif 000002
【図２】
0006695706.tif 000003
【図３】
0006695706.tif 000004
【図４】
0006695706.tif 000005
【図５】
0006695706.tif 000006